(57)【要約】      （修正有）【課題】取り外しが速く、定位や係止爪交換が便利な、輪状体抜き具構造を提供する。【解決手段】本体が中央の近くにねじ棒２１が螺着されるねじ穴２２が設けられ、周縁上に多数の連接座２３が設置され、連接座に横方向スロット２３１が設置され、横方向スロットにより上端の近くの両側に設置された枢着ブロック３１の係止爪３が嵌設されて限位され、係止爪の上端に連接座の抵当部４３の制限歯部４３１と噛み合う定位歯槽３２が形成され、抵当部の末端に傾斜する抵当ブロック４３２が形成されて係止爪の辺縁に抵当し、これにより、係止爪枢着ブロックが横方向スロットに嵌入されて限位され、回転できるが脱離することがなく、また、上蓋の抵当部にある制限歯部が定位歯槽に突入することにより、係止爪と連接座との間に、所定の角度調整を行って固定でき、また、抵当ブロックで係止爪の辺縁に抵当できる。  【選択図】図２
0003147876.tif 000002
【実用新案登録請求の範囲】
【請求項１】
中央の近くにねじ棒が螺着されるねじ穴が設けられ、周縁上に、多数の連接座が設置され、上記連接座に、横方向にスロットが設置される本体と、
上端の近くにおいて、両側に、枢着ブロックが設置される係止爪と、
ねじにより本体に螺着され、上に、ねじ棒が貫設されるための貫通穴が設置され、連接座に対応する位置に抵当部が設置される上蓋と、
から構成される、ことを特徴とする輪状体抜き具構造。
【請求項２】
上記連接座に、横方向に設置されたスロットが、入り口端の直径がやや小さいように設置されることを特徴とする請求項１に記載の輪状体抜き具構造。
【請求項３】
上記係止爪の枢着ブロックが、横方向と縦方向の辺長が異なるように設置されることを特徴とする請求項１に記載の輪状体抜き具構造。
【請求項４】
上記係止爪の上端に、定位歯槽が形成され、上記上蓋の連接座の抵当部内に、上記定位歯槽と互いに噛み合う制限歯部が設置されることを特徴とする請求項１に記載の輪状体抜き具構造。
【請求項５】
上記定位歯槽が、多数の歯部を有するように設置されることを特徴とする請求項４に記載の輪状体抜き具構造。
【請求項６】
上記抵当部の末端の近くに、抵当ブロックが形成されることを特徴とする請求項１に記載の輪状体抜き具構造。
【請求項７】
上記抵当ブロックが、上蓋から連接座内へ傾斜するように設置されることを特徴とする請求項６に記載の輪状体抜き具構造。
【請求項８】
上記上蓋の抵当部の一端が、上蓋に成形されて、残りの三端が、自由端であることを特徴とする請求項１に記載の輪状体抜き具構造。              
【考案の詳細な説明】
【技術分野】
【０００１】
本考案は、輪状体抜き具構造に関し、特に、取り外しが速く、定位や係止爪交換が便利である輪状体抜き具構造に関する。
【背景技術】
【０００２】
一般の輪状体抜き具は、軸受やステアリングホイール及びギヤホイール等の部件を抜けることに使用される道具であり、図９のような輪状体抜き具１は、係止爪１２を本体１１の連接座１１１に嵌設するため、その貫通穴１１２に、ボルト１３を貫設し、係止爪１２の貫通穴１２１に貫通して螺着されるように枢着され、また、上記本体１１に、螺桿状のねじ棒１４が螺着され、これにより、輪状体抜き具１が組み立てられ、複数の係止爪１２で、軸受やステアリングホイール及びギヤホイール等の部件の周縁（内径か外径）を挟み持ちながら、ねじ棒１４の底端の抵当部で、上記取り外す部件の心軸に抵当して、上記ねじ棒１４を回転させることにより、軸受やステアリングホイール及びギヤホイール等の部件を抜き出すことができるが、上記の構造によれば、係止爪１２の方向を変更する場合（軸受やステアリングホイール及びギヤホイール等の部件を抜き出す場合、上記係止爪が、取り外す部件の内径か外径に挟み持つことを選択する時）、上記のボルト１３を一つずつ外してから、係止爪１２の方向を変更した後、上記ボルト１３を螺着することにより、上記の係止爪１２の方向を変換でき、使用上に不便であり、また、上記係止爪１２が、本体１１の連接座１１１内に枢着されることにより、係止爪１２と拔除部件との挟み持ち角度を調整できるが、上記係止爪１２と本体１１の連接座１１１との間において、任意に角度を定位することができず、確実に連接座１１１において、上記係止爪１２が所定の角度に定位されることができない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、本体の連接座に、横方向にスロットが設置され、また、係止爪に軸桿が設置されるため、係止爪が所定の角度で、スロット内に嵌設されて、角度を変換でき、これにより、上記係止爪を簡単に嵌設することや取り外すことができ、係止爪交換が便利である輪状体抜き具構造を提供する。
【０００５】
本考案の他の目的は、上蓋板を設置して、その抵当部の制限歯部が、係止爪の定位歯槽に突入することにより、上記係止爪の角度を調整して固定できる輪状体抜き具構造を提供する。
【０００６】
本考案の更に他の目的は、抵当部が傾斜に設置された抵当ブロックにより、係止爪の辺縁に抵当できて、係止爪が脱離することがない輪状体抜き具構造を提供する。
【課題を解決するための手段】
【０００７】
請求項１の考案は、中央の近くにねじ棒が螺着されるねじ穴が設けられ、周縁上に、多数の連接座が設置され、上記連接座に、横方向にスロットが設置される本体と、上端の近くにおいて、両側に、枢着ブロックが設置される係止爪と、ねじにより本体に螺着され、上に、ねじ棒が貫設されるための貫通穴が設置され、連接座に対応する位置に抵当部が設置される上蓋と、から構成されることを特徴とする輪状体抜き具構造である。
【０００８】
請求項２の考案は、上記連接座に、横方向に設置されたスロットが、入り口端の直径がやや小さいように設置されることを特徴とする請求項１に記載の輪状体抜き具構造である。
【０００９】
請求項３の考案は、上記係止爪の枢着ブロックが、横方向と縦方向の辺長が異なるように設置されることを特徴とする請求項１に記載の輪状体抜き具構造である。
【００１０】
請求項４の考案は、上記係止爪の上端に、定位歯槽が形成され、上記上蓋の連接座の抵当部内に、上記定位歯槽と互いに噛み合う制限歯部が設置されることを特徴とする請求項１に記載の輪状体抜き具構造である。
【００１１】
請求項５の考案は、上記定位歯槽が、多数の歯部を有するように設置されることを特徴とする請求項４に記載の輪状体抜き具構造である。
【００１２】
請求項６の考案は、上記抵当部の末端の近くに、抵当ブロックが形成されることを特徴とする請求項１に記載の輪状体抜き具構造である。
【００１３】
請求項７の考案は、上記抵当ブロックが、上蓋から連接座内へ傾斜するように設置されることを特徴とする請求項６に記載の輪状体抜き具構造である。
【００１４】
請求項８の考案は、上記上蓋の抵当部の一端が、上蓋に成形されて、残りの三端が、自由端であることを特徴とする請求項１に記載の輪状体抜き具構造である。
【００１５】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１６】
図１〜４を参照しながら、本考案は、主として、本体２と係止爪３及び上蓋４から構成され、
本体２は、中央の近くに、ねじ棒２１が螺着されるためのねじ穴２２が設けられ、周縁上に、多数の連接座２３が設置され、上記連接座２３に、横方向にスロット２３１が設置され、
係止爪３は、上端の近くにおいて、両側に、枢着ブロック３１が設置され、また、上端に、定位歯槽３２が形成され、
上蓋４は、ねじ４１により本体２に螺着され、上に、ねじ棒２１が貫設されるための貫通穴４２が設置され、連接座２３に対応する位置に抵当部４３が設置され、上記抵当部４３内に、定位歯槽３２に突入して噛み合う制限歯部４３１が設置され、また、上記抵当部４３の末端の近くに、傾斜状に設置された抵当ブロック４３２が成形される。
【００１７】
図５のように、上蓋４を本体２に螺着し、また、上記ねじ棒２１を本体２内に螺着し、この時、上記係止爪３を横方向に、連接座２３の横方向のスロット２３１内に設置（上記横方向のスロット２３１は、入り口端の直径がスロットの直径より小さい）し、係止爪３の枢着ブロック３１が、横方向と縦方向の辺長が異なるように設置され、横方向スロット２３１の入り口直径がスロット直径より小さいため、係止爪３の枢着ブロック３１が、横方向に、横方向スロット２３１に嵌設され（図６のように）、そして、係止爪３の枢着ブロック３１を、連接座２３の横方向スロット２３１内において回転して限位させ（図７のように）、係止爪３の枢着ブロック３１の最長辺が横方向スロット２３１の入り口直径より大きいことにより、係止爪３が、横方向スロット２３１において、回転でき、脱離することがないように限位され、また、上蓋４の抵当部４３に成型された制限歯部４３１が、係止爪３の定位歯槽３２に噛み合んで限位され、そのため、必要に応じて、係止爪３と連接座２３との間になす角度を調整でき、また、傾斜状に設置された抵当ブロック４３２で、係止爪の辺縁に抵当することにより、係止爪と連接座との脱離を防止でき（図８のように）、逆に、取り外す部件に応じて、係止爪３の方向を変更する場合、上記係止爪３を、横方向スロット２３１に平行する角度に変位させ（この時、係止爪３が、その最小の辺長で、横方向スロット２３１の入り口端に平行し、また、最小の辺長の高さが、横方向スロット２３１の入り口端の直径より小さい）、そして、外へ上記係止爪３を引き出すと、快速に、係止爪３を横方向スロット２３１から分離でき（上記抵当部３の一端が、上蓋４に一体成型され、残りが、自由端であるため、上記係止爪３を引き出す時、上記抵当ブロック４３２端が自由端であるため、それを上へ押し上げると、スムーズに、上記係止爪３を引き出すことができる）、そのため、快速に、係止爪３を交換できる輪状体抜き具が実現される。
【００１８】
以上のように、本考案は、係止爪の枢着ブロックの辺長の異なり、そして、横方向スロット直径を変更することにより、枢着ブロックが、連接座の横方向スロット中において、回転されると限位され、これにより、快速に、上記係止爪を組み立てることや取り外すことができ、また、上蓋の抵当部の制限歯部が、係止爪の定位歯槽に噛み合うことにより、限位や角度調整が実現され、そのため、異なる外径や内径の部件に応じて、その角度調整や定位が実現される。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の立体組み立て概念図
【図２】本考案の一部の立体分解概念図
【図３】本考案の断面概念図
【図４】本考案の一部の組み立て平面拡大概念図
【図５】本考案の係止爪と連接座の組み立ての平面動作概念図
【図６】本考案の係止爪と連接座の一部の拡大組み立て平面動作概念図１
【図７】本考案の係止爪と連接座の一部の拡大組み立て平面動作概念図２
【図８】本考案の係止爪と連接座の一部の拡大組み立て平面動作概念図３
【図９】従来の輪状体抜き具の立体分解概念図
【符号の説明】
【００２２】
１      輪状体抜き具
１１    本体
１１１  連接座
１２    係止爪
１２１  貫通穴
１３    ボルト
１４    ねじ棒
２      本体
２１    ねじ棒
２２    ねじ穴
２３    連接座
２３１  横方向スロット
３      係止爪
３１    枢着ブロック
３２    定位歯槽
４      上蓋
４１    ねじ
４２    貫通穴
４３    抵当部
４３１  制限歯部
４３２  抵当ブロック
【図１】
0003147876.tif 000003
【図２】
0003147876.tif 000004
【図３】
0003147876.tif 000005
【図４】
0003147876.tif 000006
【図５】
0003147876.tif 000007
【図６】
0003147876.tif 000008
【図７】
0003147876.tif 000009
【図８】
0003147876.tif 000010
【図９】
0003147876.tif 000011